(57)【特許請求の範囲】
【請求項１】
メモリ３００、近距離通信インターフェースのためのＮＦＣコントローラ１００、及び各部の制御のためのベースバンドチップ２００を備える携帯端末２０と、
前記携帯端末２０のＮＦＣコントローラ１００と通信する外部端末１０と、を含む携帯端末制御システムであって、
前記ベースバンドチップ２００は、前記携帯端末２０内で動作する少なくとも１つのアプリケーションの識別符号（ＡＩＤ；Ａｐｐｌｉｃａｔｉｏｎ  Ｉｄｅｎｔｉｆｉｃａｔｉｏｎ）を前記ＮＦＣコントローラ１００に登録し、前記ＮＦＣコントローラが前記外部端末から前記ＡＩＤを選択するための命令語を受信し、前記ＡＩＤが選択されたことを前記ＮＦＣコントローラが該ベースバンドチップに通知する場合、前記外部端末１０が選択したアプリケーションを実行して、前記携帯端末２０の特定機能を前記外部端末１０から伝送される条件設定情報に基づいて制御するように構成され、
前記条件設定情報は、前記メモリ３００に新たな情報を保存するためのアクセス動作を制御する情報、通話機能を制御する情報及び携帯端末２０の通話機能を制限する場合に、発信者に聞かせる通話待機音を含み、
前記ベースバンドチップは、通話機能を制御する情報及び通話待機音を含む条件設定情報の受信によって、前記実行されたアプリケーションが、前記携帯端末２０の通話機能を制限し、通話待機音を当該地域に合わせて自動設定させることを特徴とする携帯端末制御システム。
【請求項２】
前記少なくとも１つのアプリケーションは、前記携帯端末２０のメモリ３００に新たな情報を書き込む機能のみを制限するが、一方、残りの機能は自在に使えるようにする機能を行うことを特徴とする請求項１に記載の携帯端末制御システム。
【請求項３】
前記条件設定情報は、前記メモリ３００に書き込み禁止されるコンテンツの種類を設定する内容であることを特徴とする請求項１に記載の携帯端末制御システム。
【請求項４】
前記条件設定情報は、前記携帯端末２０の機能制限が自動解除される時間情報を含むことを特徴とする請求項１に記載の携帯端末制御システム。
【請求項５】
前記条件設定情報は、暗号化された状態で伝送されることを特徴とする請求項１に記載の携帯端末制御システム。
【請求項６】
前記ＡＩＤの登録時点は、前記携帯端末２０がパワーオンになった時であることを特徴とする請求項１に記載の携帯端末制御システム。
【請求項７】
前記外部端末１０は、特定地域の出入口に設けられたことを特徴とする請求項１に記載の携帯端末制御システム。
【請求項８】
前記携帯端末２０のＮＦＣコントローラ１００と前記外部端末１０は、ＲＦ周波数を使う非接触式通信方式で通信することを特徴とする請求項１に記載の携帯端末制御システム。
【請求項９】
メモリ３００、近距離通信インターフェースのためのＮＦＣコントローラ１００、及び各部の制御のためのベースバンドチップ２００を備える携帯端末２０と、
前記携帯端末２０のＮＦＣコントローラ１００と通信する外部端末１０と、を含む携帯端末の制御方法であって、
前記ベースバンドチップ２００が、前記携帯端末２０内で動作する少なくとも１つのアプリケーションの識別符号（ＡＩＤ）を前記ＮＦＣコントローラ１００に登録する段階と、
前記ＮＦＣコントローラ１００が、前記外部端末１０から登録ＡＩＤを選択する命令語を受信し、これを前記ベースバンドチップ２００に通知する段階と、
前記ベースバンドチップ２００が、前記外部端末１０によって選択されたアプリケーションを実行して、前記携帯端末２０の機能を前記外部端末１０から伝送される条件設定情報に基づいて制限するか、または制限されたものを解除する段階と、を含み、
前記条件設定情報は、前記メモリ３００に新たな情報を保存するためのアクセス動作を制御する情報、通話機能を制御する情報及び携帯端末２０の通話機能を制限する場合に、発信者に聞かせる通話待機音を含み、
前記携帯端末２０の前記実行されたアプリケーションの機能を前記外部端末１０から伝送される条件設定情報に基づいて制限するか、または制限されたものを解除する段階は、通話機能を制御する情報及び通話待機音を含む条件設定情報の受信によって、前記実行されたアプリケーションが、前記携帯端末２０の通話機能を制限し、通話待機音を当該地域に合わせて自動設定させる段階を含むことを特徴とする携帯端末制御方法。
【請求項１０】
前記少なくとも１つのアプリケーションは、前記携帯端末２０のメモリ３００に新たな情報を書き込む機能のみを制限するが、一方、残りの機能は自在に使えるようにする機能を行うことを特徴とする請求項９に記載の携帯端末制御方法。
【請求項１１】
前記条件設定情報は、前記メモリ３００に書き込み禁止されるコンテンツの種類を設定する内容であることを特徴とする請求項９に記載の携帯端末制御方法。
【請求項１２】
前記条件設定情報は、前記携帯端末２０の機能制限が自動解除される時間情報を含むことを特徴とする請求項９に記載の携帯端末制御方法。
【請求項１３】
前記条件設定情報は、暗号化された状態で伝送されることを特徴とする請求項９に記載の携帯端末制御方法。
【請求項１４】
前記ＡＩＤの登録時点は、前記携帯端末２０がパワーオンになった時であることを特徴とする請求項９に記載の携帯端末制御方法。
【請求項１５】
前記外部端末１０は、特定地域の出入口に設けられたことを特徴とする請求項９に記載の携帯端末制御方法。
【請求項１６】
前記携帯端末２０のＮＦＣコントローラ１００と前記外部端末１０は、ＲＦ周波数を使う非接触式通信方式で通信することを特徴とする請求項９に記載の携帯端末制御方法。
【発明の詳細な説明】
【技術分野】
【０００１】
本発明は、携帯端末の制御技術に係り、より詳細には、ユーザが特定時間に特定領域を出入りする度に、当該地域の出入口に設けられた外部端末を通じて自動的にユーザの携帯端末の通話待機音またはメモリアクセスなどの機能を制御させることによって、ユーザが手動で携帯端末の機能を設定せずとも、特定地域ごとに独特の制御方式を容易に適用させる新たな携帯端末制御システム及び方法に関する。
【背景技術】
【０００２】
最近、携帯電話のような携帯端末が必須的なアイテムとして広く使われている。これは、携帯電話が単に音声通話機能を有した電話機から、カメラ機能と写真や音楽または動画を保存し、ディスプレイすることができるマルチメディアプレーヤー機能、さらには、インターネットのようなネットワークに接続して、情報検索及び相互作用することができる便利な機能までも含むようになったためである。
【０００３】
ところが、公演場、学校、企業や国家の保安施設のような特定領域では、携帯電話の電話着信音や通信機能、またはカメラ機能などを制限する必要がある。このような領域に出入りするユーザは、携帯電話の着信音をマナーモード（振動）に変更させるか、それとも電源を完全にオフにするなどの措置をしなければならなかった。しかしながら、普段の機能を制限させる動作、及びそれを原状に復旧する解除動作がユーザによって手動でなされるために、度々ユーザが、このような動作をうっかり忘れてしまうことが発生するので、非常に煩わしかった。したがって、個人携帯端末の機能を自動で制限または解除させる技術に対する要求があった。
【０００４】
このような技術的要求に応じるために、例えば、従来、ＮＦＣ（Ｎｅａｒ  ＦｉｅｌｄＣｏｍｍｕｎｉｃａｔｉｏｎ）チップモジュールを備える携帯端末と外部のＲＦ（Ｒａｄｉｏ  Ｆｒｅｑｕｅｎｃｙ）リーダー機との相互作用を通じて携帯電話端末機のベル音、カメラ、通信機能を制御する技術が、韓国登録特許１０−０９１１０３２によって提案された。本技術によれば、ユーザは、特定地域の入口に備え付けられている外部ＲＦリーダー機に所持している携帯端末を近つける動作のみでベル音やカメラ機能、または電話機能が制限され、逆にその地域の出口に備え付けられている他の外部ＲＦリーダー機を利用すれば、制限されていた機能が自動で解除される便利さを享受することができるという長所が提供される。
【０００５】
しかし、前記従来技術によれば、携帯電話の機能を制限または解除する命令語を出力する主体が、外部のＲＦリーダー機であり、携帯電話自体の制御を担当するベースバンドチップは、単にこの命令を行うようになっている。このように、ベースバンドチップの動作が、外部装置によって容易になされる場合は、携帯電話内に保存されている重要な個人情報が容易に外部に流出されうるという危険が常存する。そして、前記従来技術によれば、携帯端末の特定機能を制限するが、このような制限のために、ユーザが所望する携帯端末の他の機能も制限されうるという問題点がある。例えば、カメラ機能を制限した時、ユーザは、携帯端末内に既に保存されている写真を確認したくても、カメラ機能が制限されていて、所望する写真を確認する機能までも使えなくなる不便さを甘受しなければならない。
【０００６】
従来の携帯電話の通話機能に付け加えて、発信者に通話待機音を提供する機能が知られている。このような通話待機音は、従来の移動通信社で指定した音源であるか、広告主が指定した音源、または、例えば、韓国特許登録番号１０−０３９４９７６の公報に記載のように、加入者が指定した音源を通話待機音として提供する技術が知られている。ところが、公演場、学校、企業や国家の保安施設のような地域ごとに独特の特徴を有する地域内で携帯電話の通話機能を各地域特性に合わせて制限するか、発信者との通話を連結するなどの目的のためには、これら従来技術による通話機能制限及び通話待機音の提供技術としては限界があった。
【０００７】
したがって、多様な特性の地域のうち、特定地域を出入りする度に、携帯端末の特定機能を地域特性に応じて合わせられるように自動制御しながらも、ユーザに携帯端末のさまざまな機能を依然として利用させうる技術があれば、有利である。
【発明の概要】
【発明が解決しようとする課題】
【０００８】
本発明は、前記実情を勘案して、従来の携帯端末の特定機能の制限技術で引き起こされる各種問題点を解決し、追加長所を提供するために案出されたものであって、本発明は、ユーザが特定時間に特定領域を出入りする度に、当該地域の出入口に設けられた外部端末を通じて自動的にユーザの携帯端末の通話待機音やメモリアクセスなどの機能を当該地域事情に合わせて制御させることによって、ユーザが手動で携帯端末の機能を設定せずとも、特定地域ごとに独特の制御方式を容易に適用させることをその目的とする。
【課題を解決するための手段】
【０００９】
前記目的は、本発明による携帯端末制御システム及び方法によって達成される。
【００１０】
本発明の一態様によって提供される携帯端末制御システムは、メモリ、近距離通信インターフェースのためのＮＦＣコントローラ、及び各部の制御のためのベースバンドチップを備える携帯端末と、前記携帯端末のＮＦＣコントローラと通信する外部端末と、を含む携帯端末制御システムであって、前記ベースバンドチップは、前記携帯端末内で動作する少なくとも１つのアプリケーションの識別符号を前記ＮＦＣコントローラに登録し、前記ＮＦＣコントローラから前記外部端末のＡＩＤ選択命令語を受信し、これを通知する場合、前記外部端末が選択したアプリケーションを実行して、前記携帯端末の特定機能を前記外部端末から伝送される条件設定情報に基づいて制御するように構成される。
【００１１】
一実施形態において、前記少なくとも１つのアプリケーションは、前記携帯端末のメモリに新たな情報を書き込む機能のみを制限するが、一方、残りの機能は自在に使えるようにする機能を行う。
【００１２】
他の実施形態において、前記少なくとも１つのアプリケーションは、前記携帯端末の通話機能を制限し、通話待機音を当該地域に合わせて自動設定させる機能を行う。
【００１３】
さらに他の実施形態において、前記条件設定情報は、前記メモリに書き込み禁止されるコンテンツの種類を設定する内容である。
【００１４】
さらに他の実施形態において、前記条件設定情報は、前記携帯端末の通話機能を制限する場合に、発信者に聞かせる通話待機音を含む。
【００１５】
さらに他の実施形態において、前記条件設定情報は、前記携帯端末の機能制限が自動解除される時間情報を含む。
【００１６】
さらに他の実施形態において、前記条件設定情報は、暗号化された状態で伝送される。
【００１７】
さらに他の実施形態において、前記ＡＩＤの登録時点は、前記携帯端末がパワーオンになった時である。
【００１８】
さらに他の実施形態において、前記外部端末は、特定地域の出入口に設けられる。
【００１９】
さらに他の実施形態において、前記携帯端末のＮＦＣコントローラと前記外部端末は、ＲＦ周波数を使う非接触式通信方式で通信する。
【００２０】
また、本発明の他の態様によって提供される携帯端末制御方法は、メモリ、近距離通信インターフェースのためのＮＦＣコントローラ、及び各部の制御のためのベースバンドチップを備える携帯端末と、前記携帯端末のＮＦＣコントローラと通信する外部端末と、を含む携帯端末の制御方法であって、前記ベースバンドチップが、前記携帯端末内で動作する少なくとも１つのアプリケーションの識別符号を前記ＮＦＣコントローラに登録する段階と、前記ＮＦＣコントローラが、前記外部端末から登録ＡＩＤを選択する命令語を受信し、これを前記ベースバンドチップに通知する段階と、前記ベースバンドチップが、前記外部端末によって選択されたアプリケーションを実行して、前記携帯端末の機能を前記外部端末から伝送される条件設定情報に基づいて制限するか、または制限されたものを解除する段階と、を含みうる。
【発明の効果】
【００２１】
前述した構成を有する本発明は、ユーザが特定時間に特定領域を出入りする度に、当該地域の出入口に設けられた外部端末を通じて自動的にユーザの携帯端末の通話待機音またはメモリアクセス機能などを当該地域事情に合わせて制御させることによって、ユーザが手動で携帯端末の機能を設定せずとも、特定地域ごとに独特の制御方式を容易に適用させる著しい効果を提供する。
【図面の簡単な説明】
【００２２】
【図１】本発明によるシステムの構成を示す概略図である。
【図２】本発明の一実施形態による方法の段階を説明するフローチャートである。
【図３】本発明の一実施形態による方法によって携帯端末の保存機能が制限される過程を説明するフローチャートである。
【図４】本発明の一実施形態による方法によって携帯端末の保存機能が制限解除される過程を説明するフローチャートである。
【図５】本発明の他の実施形態による方法によって携帯端末の通話機能が制限され、通話待機音が設定される過程を説明するフローチャートである。
【図６】本発明のさらに他の実施形態による方法によって携帯端末の通話機能が制限解除される過程を説明するフローチャートである。
【発明を実施するための形態】
【００２３】
以下、添付図面を参照して、本発明による携帯端末の制御システム及び方法の望ましい実施形態を詳細に説明する。
【００２４】
本発明によって提供される携帯端末の制御システムは、公演場や劇場、病院、または企業研究所や軍事施設のように、特定の領域の出入口で自動で携帯電話やスマートフォンのような携帯端末の多様な機能のうちからメモリに新たな情報を書き込む機能のみを制限するが、一方、残りの機能は自在に使えるようにするか、または携帯端末の通話機能を制限し、通話待機音を当該地域に合わせて自動設定させうるという特徴を有する。
【００２５】
このような特徴は、携帯端末を携帯したユーザが特定地域を出入りする出入口に設けられている外部端末を通じて携帯端末の機能を制御する本発明の構成によって達成されうる。この外部端末は、ユーザや移動通信社または別途の広告主ではなく、当該地域の運用者によって運用される。このような本発明は、外部端末によって制御される携帯端末の機能を特定地域の運用者の意図によって設定させる。これは、ユーザが公演場や劇場、病院、または企業研究所や軍事施設のように、多様な性格を有する地域を出入りする度に、当該地域に合わせて自身の携帯端末の機能を自動設定させうる便利を提供させうる。
【００２６】
そのために、本発明のシステムは、図１に示したように、特定領域の入口及び出口に設けられている外部端末１０と、この外部端末１０と相互作用する個人携帯端末２０と、を含む。
【００２７】
外部端末１０は、携帯端末２０と相互作用するための近距離通信インターフェースを有し、特定データを無線出力することができる装置、例えば、ＲＦリーダー機のような装置を備えることができる。
【００２８】
本発明による携帯端末２０は、メモリ３００、近距離通信インターフェースのためのＮＦＣコントローラ１００、及び各部の制御のためのベースバンドチップ２００を備えることを必須要素とする。したがって、本発明による携帯端末２０が、携帯電話またはスマートフォンを含むが、このような装置にのみ限定される必要はなく、メモリとＮＦＣコントローラ及び制御装置とを含むものであれば、いずれも含むということは自明である。
【００２９】
ＮＦＣコントローラ１００は、通常携帯電話に内蔵されたＵＳＩＭチップと外部のＲＦリーダー機との間の通信をインターフェーシングする装置としてよく知られている。本発明では、このようなＮＦＣコントローラ１００が携帯端末２０の主制御部の役割を担当するベースバンドチップ２００と外部端末１０との間をインターフェーシングするように構成されるという点が特徴的である。
【００３０】
ベースバンドチップ２００は、携帯端末２０の主制御部を構成するプロセッサと言える。ベースバンドチップ２００は、まるでパソコン本体の中央処理装置（ＣＰＵ）のような役割を携帯端末２０内で担当する。例えば、ベースバンドチップ２００は、携帯端末のパワーオン時、携帯端末２０の各種機能を行う多種多様なアプリケーションの運用システム（端末ＯＳ）を行って、ユーザが携帯端末２０を使用、すなわち、携帯端末２０で特定アプリケーションを駆動できるように環境を造成し、駆動されたアプリケーションの機能を携帯端末２０が実行できるように各部を制御する。
【００３１】
メモリ３００は、携帯端末２０内に内蔵されるか、あるいはＵＳＢポートなどを通じて連結される形態の保存装置をいずれも含む。
【００３２】
前述した構成を有するシステムにおいて、本発明によって、ベースバンドチップ２００は、携帯端末２０内で動作するアプリケーションのうち、特に、メモリ３００に新たな情報を保存するためのアクセス動作を制御するか、または通話機能を制御し、通話待機音を外部端末から受信して設定するための少なくとも１つのアプリケーションの識別符号（ＡＩＤ；Ａｐｐｌｉｃａｔｉｏｎ  Ｉｄｅｎｔｉｆｉｃａｔｉｏｎ）をＮＦＣコントローラ１００に登録するように動作する。このような登録動作は、携帯端末２０がパワーオンになった時であることが望ましい。ＮＦＣコントローラ１００は、登録されているＡＩＤに対して外部端末１０から登録ＡＩＤを選択する命令語を受信すれば、これをベースバンドチップ２００に通知する。そうすると、ベースバンドチップ２００は、外部端末１０が選択したアプリケーションを実行する。すなわち、メモリ３００に新たな情報を保存するためのアクセス動作を制限するか、または通話機能を制御し、通話待機音を外部端末から受信して設定することができる。
【００３３】
ここで、携帯端末２０のＮＦＣコントローラ１００と外部端末１０は、ＲＦ周波数を使う非接触式通信方式で通信することができる。すなわち、図１に示したように、携帯端末２０には、ＲＦアンテナ１１０が内蔵され、外部端末１０は、ＲＦ周波数を送出し続けるＲＦリーダー機であり得る。
【００３４】
ベースバンドチップ２００は、外部端末１０が選択したアプリケーションを実行して、メモリ３００に新たな情報を保存するためのアクセス動作を制御する時、メモリ３００のアクセスを制限する条件及び／またはアクセスを制限した動作が自動解除される時間情報のような条件を含む条件設定情報を外部端末１０から伝送されうる。
【００３５】
他の方式で、条件設定情報は、ユーザによって入力されたデフォルト値であって、あらかじめ保存されている。この場合、ベースバンドチップ２００は、外部端末１０からの情報なしに保存されているデフォルト値によってアプリケーションを駆動することができる。
【００３６】
しかし、外部端末１０が設けられている特定領域ごとに制限条件が互いに異なりうるので、条件設定情報は、外部端末１０から携帯端末２０に伝送されることがさらに望ましい。
【００３７】
条件設定情報は、メモリ３００に保存されることが制限される新たな情報、すなわち、コンテンツの種類、すなわち、イメージ、テキスト、動画などを設定するか、通話機能を制御し、通話待機音として使われる音源を設定するための情報であり得る。
【００３８】
そして、外部端末１０からベースバンドチップ２００に伝送される条件設定情報は、暗号化された状態で安全に伝送されることが望ましい。このような暗号化は、一般的にスマートカード保安応用モジュールとしてよく知られているＳＡＭ（Ｓｅｃｕｒｅ  Ａｃｃｅｓｓ  Ｍｏｄｕｌｅ）方式を利用できる。ＳＡＭ方式によって、外部端末１０には、ＳＡＭカードが内蔵され、携帯端末２０のベースバンドチップ２００またはこのベースバンドチップ２００によって実行される端末運用システムには、ＳＡＭカードまたはＳＡＭソフトウェアモジュールが内蔵されうる。
【００３９】
図２には、本発明の一態様によって提供される携帯端末制御方法が示され、図３ないし図４には、そのうち、特に、メモリアクセス制御方法が示されている。
【００４０】
本発明による方法によって、まず、例えば、携帯端末がパワーオンになった時、ベースバンドチップ２００が、携帯端末２０内で動作するアプリケーションのうちから前記メモリ３００に新たな情報を保存するためのアクセス動作を制御する少なくとも１つのアプリケーションの識別符号（ＡＩＤ）をＮＦＣコントローラ１００に登録する（図２のステップＳ００１、図３のステップＳ３０１、図４のステップＳ４０１）。
【００４１】
以後、ユーザが特定地域に入場した時、携帯端末２０内のＮＦＣコントローラ１００は、この特定地域の入口に設けられている外部端末１０から登録ＡＩＤを選択する命令語を受信する（図２のステップＳ００２、図３のステップＳ３０２、図４のステップＳ４０２）。そうすると、ＮＦＣコントローラ１００は、遅滞なくこれをベースバンドチップ２００に通知して、登録されたＡＩＤが選択されたことを知らせる（図２のステップＳ００３、図３のステップＳ３０３、図４のステップＳ４０３）。
【００４２】
そうすると、ベースバンドチップ２００は、ＡＩＤ選択したという通知を受信したという応答をＮＦＣコントローラ１００を経由して、外部端末１０に伝送する（図２のステップＳ００４、図３のステップＳ３０４及びステップＳ３０５、図４のステップＳ４０４及びステップＳ４０５）。
【００４３】
外部端末１０は、このような応答を受信すれば、制限条件を設定するか、自動解除になる時間情報及び／または制限されている機能を解除せよという条件設定情報を、暗号化して、ＮＦＣコントローラ１００を経由して、ベースバンドチップ２００に伝達する（図２のステップＳ００５、図３のステップＳ３０６及びステップＳ３０７、図４のステップＳ４０６及びステップＳ４０７）。
【００４４】
以後、ベースバンドチップ２００は、外部端末１０によって選択されたアプリケーションを実行して、メモリ３００に新たな情報を保存するためのアクセス動作を制限するか、または制限されたものを解除する動作を行うことができる（図２のステップＳ００７、図３のステップＳ３１０及びステップＳ３１１、図４のステップＳ４１０及びステップＳ４１１）。そして、この処理結果は、携帯端末２０のディスプレイ上に表示されるメッセージの形態でユーザに告知され、また、ＮＦＣコントローラ１００を経由して、外部端末１０に通知されうる（図２のステップＳ００６、図３のステップＳ３０８及びステップＳ３０９、図４のステップＳ４０８及びステップＳ４０９）。
【００４５】
前述したような構成の本発明によれば、ユーザは、公演場や企業の研究所などに出入りする時、当該地域で要求する携帯端末装置の機能の制限及び解除を自動で行えるという便利さを享受することができる。本発明によって、特に、ユーザは、単に新たな情報をメモリに保存できなくなることに過ぎないので、既存に保存されている文字メッセージや写真などは読み取るか、確認することができるので、ユーザの便利性が増大するという長所が提供される。
【００４６】
一方、図２に示された本発明の一態様によって提供される携帯端末制御方法のうち、携帯端末の通話機能制御方法が、図５ないし図６に示される。
【００４７】
本発明による方法によって、まず、例えば、携帯端末がパワーオンになった時、ベースバンドチップ２００が、携帯端末２０内で動作するアプリケーションのうちから携帯端末の通話機能を制限し、通話待機音を当該地域に合わせて自動設定させうるアプリケーションの識別符号（ＡＩＤ）をＮＦＣコントローラ１００に登録する（図２のステップＳ００１、図５のステップＳ５０１、図６のステップＳ６０１）。
【００４８】
以後、ユーザが特定地域に入場した時、携帯端末２０内のＮＦＣコントローラ１００は、この特定地域の入口に設けられている外部端末１０から登録ＡＩＤを選択する命令語を受信する（図２のステップＳ００２、図５のステップＳ５０２、図６のステップＳ６０２）。そうすると、ＮＦＣコントローラ１００は、遅滞なくこれをベースバンドチップ２００に通知して、登録されたＡＩＤが選択されたことを知らせる（図２のステップＳ００３、図５のステップＳ５０３、図６のステップＳ６０３）。
【００４９】
そうすると、ベースバンドチップ２００は、ＡＩＤ選択したという通知を受信したという応答をＮＦＣコントローラ１００を経由して、外部端末１０に伝送する（図２のステップＳ００４、図５のステップＳ５０４及びステップＳ５０５、図６のステップＳ６０４及びステップＳ６０５）。
【００５０】
外部端末１０は、このような応答を受信すれば、制限条件を設定するか、自動解除になる時間情報及び／または制限されている機能を解除せよという条件設定情報を、暗号化して、ＮＦＣコントローラ１００を経由して、ベースバンドチップ２００に伝達する（図２のステップＳ００５、図５のステップＳ５０６及びステップＳ５０７、図６のステップＳ６０６及びステップＳ６０７）。
【００５１】
以後、ベースバンドチップ２００は、外部端末１０によって選択されたアプリケーションを実行して、携帯端末の通話機能を制限し、外部端末１０から伝達される音源または音源選択命令語によって、通話待機音を当該地域に合わせて自動設定するか、またはこのような設定を解除する動作を行うことができる（図２のステップＳ００７、図５のステップＳ５１０及びステップＳ５１１、図６のステップＳ６１０及びステップＳ６１１）。そして、この処理結果は、携帯端末２０のディスプレイ上に表示されるメッセージの形態でユーザに告知され、また、ＮＦＣコントローラ１００を経由して、外部端末１０に通知されうる（図２のステップＳ００６、図５のステップＳ５０８及びステップＳ５０９、図６のステップＳ６０８及びステップＳ６０９）。
【００５２】
この際、外部端末１０による条件設定情報に基づいて携帯端末２０の通話機能を設定したアプリケーションは、例えば、遠隔の発信者から発信された電話が着信される場合、この携帯端末２０の着信音が鳴らないようにしながら、同時に発信者には、例えば、“顧客が‘状況設定’の理由で電話を受けることができないので、緊急な通話を所望するならば、１番ボタンを、電話を切ろうとすれば、２番ボタンを押してください”のような音声メッセージを通話待機音として伝達することができる。以後、発信者が１番ボタンを押す場合、アプリケーションは、携帯端末２０で電話が着信されたことを知らせるように着信音を鳴らせる。
【００５３】
前述したような構成の本発明によれば、ユーザは、公演場や企業の研究所のように、互いに異なる特性を有する特定地域に出入りする時、当該地域で要求する携帯端末装置の通話機能の制限及び解除を地域に合わせて自動で行えるという便利さを享受することができる。
【００５４】
今まで、本発明を望ましい実施形態として説明したが、本発明は、これに限定されず、発明の要旨を外れない範囲内で多様に変形して実施できるということはいうまでもない。
【産業上の利用可能性】
【００５５】
本発明は、携帯端末制御システム及び方法に利用されうる。
【図１】
0005723033.tif 000002
【図２】
0005723033.tif 000003
【図３】
0005723033.tif 000004
【図４】
0005723033.tif 000005
【図５】
0005723033.tif 000006
【図６】
0005723033.tif 000007